(57)【要約】    【課題】  経年変化によりパッキンの押圧が緩み浸水を生じ易い保護カバーに対し、より高い耐浸水性能を経年的に維持しつつ、組立、取り外しなどが容易に行えるアンテナユニットの保護カバーの構造を提供すること。【解決手段】  アンテナの保護カバー周囲のフランジ部に接着された下部に水抜きのための切断部を有する第１のパッキンと、反射板に接着された第１のパッキンとの間に一定の間隙が得られるように第１のパッキンより一回り小さい外周の下側に開放端を有する第２のパッキンと、前記保護カバーと反射板を第１のパッキンと第２のパッキンの端部の一部を挟持し圧縮する複数の締結手段により高い耐浸水性能を得る。【選択図】図１
2011249959.tif 000002
【特許請求の範囲】
【請求項１】
アンテナユニットの反射板と、前記反射板に設けられたアンテナ素子を保護する保護カバーと、その保護カバーの周囲に設けられるフランジ部と、前記フランジ部において前記保護カバーの周囲を囲み、その下部に水抜きのための切断部を有する板状の第１のパッキンと、前記第１のパッキンとの間に一定の間隙が得られるように第１のパッキンの内側形状より一回り小さい逆Ｕ字状の形状を有する板状の第２のパッキンと、前記保護カバーと反射板を前記第１のパッキンと第２のパッキンの内側の端部を同時に挟持し圧縮するアンテナユニットの周囲の複数の締結手段
とからなる耐浸水構造を備えたことを特徴とする保護カバー付きアンテナユニット。
【請求項２】
上記第１のパッキンは保護カバーのフランジ部に貼付けられ、上記第２のパッキンは反射板に貼付けられていることを特徴とする請求項１に記載の保護カバー付きアンテナユニット。
【請求項３】
上記第２のパッキンの板厚は、上記第１のパッキンの板厚よりも厚いことを特徴とする請求項１乃至２に記載の保護カバー付きアンテナユニット。
【発明の詳細な説明】
【技術分野】
【０００１】
本発明は、反射板に双ループアンテナなどのアンテナ素子を設けたアンテナユニットを鉄塔の周囲に取付けた送信用アンテナ装置などにおいて、アンテナユニットのアンテナ素子を風雨や雪などから保護する保護カバーが設けられたものの耐浸水構造に関するものである。
【背景技術】
【０００２】
地上波デジタル放送などで用いられる送信アンテナでは、水平面無指向性とする場合、あるいは水平面無指向性に限らず指向性を持つ場合でも、鉄塔の周囲に双ループアンテナなどで構成されるアンテナユニットを多面に配置して指向性を多面合成している。（例えば、特許文献１参照。）。
【０００３】
図５は、鉄塔上部の周囲にアンテナユニットを多面に配置してなる多面合成アンテナの要部を示す上面図である。図５において、１１は鉄塔の上部付近に設けられているアンテナ支持機構で、このアンテナ支持機構１１に複数例えば４つのアンテナユニット１２ａ、１２ｂ、・・・を装着している。この場合、アンテナユニット１２ａ、１２ｂ、・・・は、鉄塔の周囲に等間隔で位置するように配置して指向性を多面合成している。  
【０００４】
上記アンテナユニット１２ａ、１２ｂ、・・・としては、例えば双ループアンテナが用いられる。この双ループアンテナは、それぞれ反射板１３上にループ素子１４からなるアンテナ素子を設けると共に、このループ素子１４の周囲を覆うように保護カバー１５を設け、この保護カバー１５によりループ素子１４を雨や雪などの浸水から保護している。
【先行技術文献】
【特許文献】
【０００５】
【特許文献１】特開２００１−１８５９２９号公報
【発明の概要】
【発明が解決しようとする課題】
【０００６】
上記のように従来では、各アンテナユニット１２ａ、１２ｂ、・・・に保護カバー１５を設けてアンテナ素子を雨や雪などに対して保護している。しかし双ループアンテナなどの反射板と保護カバーの間の浸水に対しては、保護カバーと反射板が当接する外周部にゴムなどの弾力性を有するパッキンを挟み込み、その外周部に適宜の間隔でボルト及びナットなどにより一定の圧力で締結しパッキンを押圧して浸水を防止するようにしている。上記の反射板と保護カバーのボルト及びナットなどによる締結部と締結部の間は、経年変化などによりパッキンへの押圧が緩みやすく、当該位置において浸水が生じ易かった。近年はアンテナユニットの高性能化などによりアンテナ素子の構造が益々、繊細、複雑となり、アンテナの保護カバーに対し、従来に比べてより高い耐浸水性能が要求されるようになっている。すなわち経年的に高い耐浸水性能を維持でき、尚且つ組立、取り外しなどが容易に行えるアンテナの保護カバーが必要とされている。
【課題を解決するための手段】
【０００７】
第１の発明は、保護カバー付きアンテナユニットにおいて、アンテナユニットの反射板と、前記反射板に設けられたアンテナ素子を保護する保護カバーと、その保護カバーの周囲に設けられるフランジ部と、前記フランジ部において前記保護カバーの周囲を囲み、その下部に水抜きのための切断部を有する板状の第１のパッキンと、前記第１のパッキンとの間に一定の間隙が得られるように第１のパッキンの内側形状より一回り小さい逆Ｕ字状の形状を有する板状の第２のパッキンと、前記保護カバーと反射板を前記第１のパッキンと第２のパッキンの内側の端部を同時に挟持し押圧するアンテナユニットの周囲の複数の締結手段とからなる耐浸水構造を備えたことを特徴とする。
第２の発明は、上記第１の発明の保護カバー付きアンテナユニットにおいて、上記第１のパッキンは保護カバーのフランジ部に貼付けられ、上記第２のパッキンは反射板に貼付けられていることを特徴とする。
第３の発明は、第１乃至第２の発明の保護カバー付きアンテナユニットにおいて、上記第２のパッキンの板厚は、上記第１のパッキンの板厚よりも厚いことを特徴とする。
【発明の効果】
【０００８】
本発明によれば、鉄塔の周囲に設けられるアンテナユニットの保護カバーの耐浸水性を維持し、組立、取り外しなどのメインテナンスが容易に行えるアンテナユニットの耐浸水構造が実現される。
【図面の簡単な説明】
【０００９】
【図１】本発明にかかわるアンテナユニットの構成を示す説明図である。
【図２】本発明にかかわる保護カバーの構成を示す図である。
【図３】本発明にかかわる反射板の構成を示す図である。
【図４】本発明にかかわる保護カバーと反射板の取付け部分の詳細を示した図である。
【図５】従来のアンテナユニットの構成を示す図である。
【発明を実施するための形態】
【００１０】
以下、図面を参照して本発明の一実施形態を説明する。なお以下の説明の図においては、実際に存在する反射板上に設けられる双ループアンテナなどについては本発明の説明ために必要がないので図に示していない。
【実施例１】
【００１１】
図１は、本発明にかかわるアンテナユニット１の実施例であって、繊維強化プラスチック（ＦＲＰ）などを用いた保護カバー３がボルト７及びナット８などの締結手段により鉄、アルミなどの導電性の金属板を用いた反射板２に取付けられる構成を示している。
【００１２】
保護カバー３の周囲に設けられた反射板２に面で圧接されるフランジ部Ａには図示のように適宜の間隔で、保護カバーから反射板を貫通する孔を設け、ボルト７及びナット８などにより保護カバーが反射板に取付けられる。図１に示すように保護カバー３のフランジ部Ａの反射板に接する側にはゴムなどの弾力性のある板状の第１のパッキン４が保護カバー３の周囲を囲んで両面テープあるいは接着剤などの接着手段で貼付けられている。上記第１のパッキン４はアンテナユニット１の下側の位置に水抜きのため水抜き切断部６が設けられている。
【００１３】
また反射板２にはゴムなどの弾力性のある板状の第２のパッキン５の下側が開放となるように図示のように上記第１のパッキンとの間に間隙Ｂを設けて逆Ｕ字状に貼付けられている。第２のパッキンの一端部は保護カバー３のフランジ部Ａに押圧されてアンテナユニットの内部への浸水を遮断する構成としている。
【００１４】
上記したように第１のパッキンのアンテナユニットの下側位置には、１０〜３０ｍｍ程度の水抜き溝６が設けられて、万一、保護カバー内部に浸水した雨や雪の水が当該溝から排出できるようにしている。また反射板２に両面テープあるいは接着剤などの接着手段で貼付けられた第２のパッキンは、逆Ｕ字状に形成されており、第１のパッキンと第２のパッキンとの間に形成された間隙Ｂが水のチャンネルを形成し、前記第１のパッキン４を浸み通って浸入した水に対する通路となって前記水抜き溝６から排出するようにしている。
【００１５】
本実施例においては、上記したように２つのパッキンの貼付面を異ならせる、すなわち第１のパッキン４は保護カバー３に貼付けられて反射板との間で浸水を抑止する面を構成し、第２のパッキン５は反射板２に貼付けられて保護カバー３のフランジ部Ａと浸水を抑止する面を構成している。なお上記2種のパッキンを一方の反射板２に接着して固定しても2重に囲こまれたパッキンとしての耐浸水性を得ることができるが、上記2種のパッキンの貼付け面を異ならせ、浸水にかかわるパッキンの圧着する面が同一平面上にないようにする、いいかえると浸水経路を曲折させることでより高い耐浸水効果を得ている。
【００１６】
図２は、本発明にかかわる保護カバー３の図である。図２には、上記した保護カバー３に貼り付いている第１のパッキン４を斜線で示している。保護カバー３の周囲には、反射板に取付けるための幅広のフランジ部Ａが形成されていて、ボルトを挿通するための孔９ａが複数設けられている。保護カバーの下側には上記第１のパッキンが切断されていて前記水抜き溝６が形成されるようになっている。
【００１７】
図３は、本発明にかかわる反射板２の図である。図３には、上記した反射板２に貼り付いている第２のパッキン５を斜線で示している。反射板２の周囲には、保護カバー３を取り付けるためのボルト７を挿通するための複数の孔９ｂが、上記保護カバー３の孔９ａに相当する位置に設けられている。第２のパッキン５は、逆Ｕ字状に平板で形成されて、外形が上記第１のパッキン４の内側形状より一回り小さく、また第１のパッキン４の厚みと同一か好ましくは少なくとも第１のパッキン４の厚みに比べて３〜１０ｍｍ程度厚いものである。上記第２のパッキン５は図１で示したように反射板２に、第１のパッキン４と隙間Ｂを形成するように配置され貼付けられる。
【００１８】
第２のパッキン５の外形が上記第１のパッキン４より一回り小さくすることで、第２のパッキン５と第１のパッキン４の間に３〜１０ｍｍ程度の間隙Ｂを形成し、第１パッキンから浸水した水を上記間隙Ｂにより形成されるチャンネルに流して、アンテナ内部に浸入しないようにしている。上記チャンネルは図１で示されるようにアンテナの下方に導かれていて第２のパッキン５で封止されているアンテナユニットの内側、アンテナ素子が設けられている部分への浸水を防ぐ構成としている。なお反射板２と保護カバー３が一体となった際に形成される間隙Ｂを含む詳細な説明は後述する
【００１９】
反射板２の背面には、図２（ａ）に示すように反射板２を補強するための補強リブ２ａが設けている。
【００２０】
図４は、本発明にかかわる反射板２に保護カバー３を取り付けた場合の詳細を示す図である。
以下、図４により説明する。
【００２１】
図４に示すように、保護カバー３の上記フランジ部Ａの位置における保護カバー３と反射板２を貫通する孔に挿着されたボルト７とナット８により、第１のパッキン４と第２のパッキン５の外周端部Ｃがネジ締めにより同時に狭持され圧縮し変形することで保護カバー３内部に水の浸入を防ぐようにしている。この際、第２のゴムパッキン５の厚みは第１のゴムパッキン４より少なくとも厚く形成して、第１のゴムパッキンの圧縮された厚みに対し、上記第２のパッキン５の外周部の端部Ｃの部分が、更に圧縮され変形されることで第２のゴムパッキンを通して水が内部に浸入することを防いでいる。
【００２２】
なお、上記したように第１のパッキン４と第２のパッキン５との間には５〜１０ミリ程度の間隙Ｂが形成され、たとえ第１のパッキン４を通して水が浸入しても、第２のパッキンに遮られてアンテナユニット１の内部への侵入を阻止され、上記浸入した水が上記間隙Ｂを通路（チャンネル）として下側に流れ落ち、図１で説明したように水抜き切断部６の開放部から排水される。  
【符号の説明】
【００２３】
１・・・アンテナユニット    ２・・・反射板      ２ａ・・・反射板補強リブ    ３・・・保護カバー
４・・・第１のパッキン    ５・・・第２のパッキン    ６・・・水抜き切断部  ７・・・ボルト
８・・・ナット    ９ａ・・・保護カバーのボルト取付け孔    ９ｂ・・・反射板のボルト取付け孔
Ａ・・・フランジ部    Ｂ・・・間隙    Ｃ・・・圧縮され変形する第２のパッキンの端部
【図１】
2011249959.tif 000003
【図２】
2011249959.tif 000004
【図３】
2011249959.tif 000005
【図４】
2011249959.tif 000006
【図５】
2011249959.tif 000007
【手続補正書】
【提出日】平成22年6月1日(2010.6.1)
【手続補正１】
【補正対象書類名】明細書
【補正対象項目名】０００２
【補正方法】変更
【補正の内容】
【０００２】
地上波デジタル放送などで用いられる送信アンテナでは、水平面無指向性とする場合、あるいは水平面無指向性に限らず指向性を持つ場合でも、鉄塔の周囲に双ループアンテナなどで構成されるアンテナユニットを多面に配置して指向性を多面合成している。（例えば、特許文献１〜２参照。）。
【手続補正２】
【補正対象書類名】明細書
【補正対象項目名】０００５
【補正方法】変更
【補正の内容】
【０００５】
【特許文献１】特開２００１−１８５９２９号公報
【特許文献２】特開２００６−１４８５５５号公報